(57)【要約】【課題】ジャンパー線の結線先を特定できる中間配線盤用のラッピング端子特定装置を提供する。【解決手段】特定装置１０は、本体１と移動板２を備える。又、特定装置１０は、透明シート３と一対のローラ４・４を備える。本体１は、絶縁基板６１ｂに固定でき、複数の端子Ｔｗを覆っている。移動板２は、本体１に対して、行方向に移動できる。透明シート３は、本体１を覆うと共に、移動板２に固定している。ローラ４は、透明シート３を巻き取り又は巻き戻しできる。本体１は、第１窓１１ｗと行符号１１ｍを有する。行符号１１ｍは、第１窓１１ｗの周辺に沿って表示している。移動板２は、第２窓２１ｗと列符号２１ｎを有する。第２窓２１ｗは、一行に配列した特定の端子Ｔｗにジャンパー線Ｗｊを結線自在に、一方の面を開口している。列符号２１ｎは、第２窓２１ｗの一方の周辺に沿って表示している。【選択図】図１
2018074197.tif 000002
【特許請求の範囲】
【請求項１】
中間配線盤の内部に設置し、略矩形の絶縁基板、及びこの絶縁基板にマトリクスに配列した複数のラッピング端子を備える端子盤の複数の前記ラッピング端子の中からジャンパー線を結線すべきラッピング端子を特定するための中間配線盤用のラッピング端子特定装置であって、
前記絶縁基板に着脱自在に固定し、複数の前記ラッピング端子を覆う箱状の本体と、
前記本体に対して行が並んだ行方向に移動自在に、前記本体と連結した移動板と、
前記本体の一方の面を覆うと共に、断絶した中間部を前記移動板に固定した帯状の透明シートと、
前記本体の両端部に配置され、前記透明シートの両端部を巻き取り又は巻き戻し自在な一対のローラと、を備え、
前記本体は、
前記ラッピング端子に前記ジャンパー線を結線自在に、一方の面に開口した矩形の第１窓と、
前記第１窓に連通し、前記ジャンパー線を導入又は導出自在に、当該本体の他方の側面板に切り欠いた第１切り欠き部と、
前記第１窓の一方の周辺に沿って表示し、前記透明シートを介して視認できる行符号と、を有し、
前記移動板は、
前記行符号を視認自在に前記第１窓に連通し、一行に配列した特定の前記ラッピング端子に前記ジャンパー線を結線自在に、一方の面を開口した矩形の第２窓と、
前記第２窓に連通し、前記ジャンパー線を導入又は導出自在に、当該移動板の他方の側面板に切り欠いた第２切り欠き部と、
前記第２窓の一方の周辺に沿って表示した列符号と、を有している、中間配線盤用のラッピング端子特定装置。
【請求項２】
前記本体は、列が並んだ列方向から前記ジャンパー線を導入又は導出自在に、他方の側面板と前記絶縁基板と間を開放している、請求項１記載の中間配線盤用のラッピング端子特定装置。
【請求項３】
前記ローラは、前記透明シートを巻き取り操作する円盤状のグリップを一方の端部に備えている、請求項１又は２記載の中間配線盤用のラッピング端子特定装置。
【発明の詳細な説明】
【技術分野】
【０００１】
本発明は、中間配線盤用のラッピング端子特定装置に関する。特に、中間配線盤に設置した端子盤に配列した複数のラッピング端子の内、ジャンパー線を接続すべきラッピング端子を特定することが容易な中間配線盤用のラッピング端子特定装置の構造に関する。
【背景技術】
【０００２】
オフィスビル又は集合住宅などには、大量の電話回線を引き込んでいる。このため、オフィスビル又は集合住宅などには、大容量の電話回線又は通信回線を一括して管理するための主配線盤（ＭＤＦ：Ｍａｉｎ  Ｄｉｓｔｒｉｂｕｔｉｎｇ  Ｆｒａｍｅ）を設置している。
【０００３】
又、オフィスビル又は集合住宅などには、中間配線盤（ＩＤＦ:Ｉｎｔｅｒｍｅｄｉａｔｅ  Ｄｉｓｔｒｉｂｕｔｉｏｎ  Ｆｒａｍｅ）を各階毎に設置していることがある。中間配線盤は、個宅のアウトレット（モジュラージャックなど）と主配線盤の間を中継している。そして、中間配線盤は、複数のラッピング端子を配列した端子盤を内部に設置している（例えば、特許文献１参照）。
【先行技術文献】
【特許文献】
【０００４】
【特許文献１】特開２００８−２８４７５号公報
【発明の概要】
【発明が解決しようとする課題】
【０００５】
図１０は、一例による中間配線盤の構成を示す機能ブロック図である。図１１は、中間配線盤の内部に設置した端子盤の一例による構成を示す正面図である。なお、本願の図１０と図１１は、特許文献１の図８と図９に相当している。
【０００６】
図１０を参照すると、中間配線盤７０は、一組の端子盤７１・７１を内部に備えている。一方の端子盤７１は、電話機Ｔｐなどの個宅のアウトレットと接続している。他方の端子盤７１は、伝送装置８０などの主配線盤と接続している。一組の端子盤７１・７１は、ジャンパー線Ｗｊで電気的に接続している。
【０００７】
図１０を参照すると、端子盤７１は、略矩形の絶縁基板７１ｂと複数のラッピング端子（以下、端子と略称する）Ｔｗで構成している。複数の端子Ｔｗは、マトリクスに配置している（図１１参照）。一方の端子盤７１の端子Ｔｗは、多芯ケーブルＣｂで電話機Ｔｐと電気的に接続している。同様に、他方の端子盤７１の端子Ｔｗは、多芯ケーブルＣｂで伝送装置８０と電気的に接続している。
【０００８】
図１０を参照すると、中間配線盤７０は、測定装置７２を内部に更に備えている。測定装置７２は、端子盤７１で送受される信号レベルを測定できる。測定装置７２から延出したプローバ（図示せず）を特定の端子Ｔｗに接触することで、特定の端子Ｔｗの信号レベルを測定できる。
【０００９】
図１０又は図１１を参照すると、絶縁基板７１ｂは、「１」から始まる自然数からなる列符号７１ｎを最上段に表示している。又、絶縁基板７１ｂは、「Ａ」から始まるアルファベットからなる行符号７１ｍを左欄に表示している。そして、列符号７１ｎ及び行符号７１ｍで特定される番地の端子Ｔｗを索引して、測定装置７２のプローバ（図示せず）を接触している。
【００１０】
しかし、図１１を参照すると、端子Ｔｗの列間ピッチ「Ｌ」は、約８ｍｍから約９ｍｍであり、相当狭くなっている。したがって、測定対象となる端子Ｔｗが列符号７１ｎ及び行符号７１ｍから離れている場合は、この端子Ｔｗの番地を特定することが困難であるという問題があった。例えば、番地（１４：Ｊ）に位置する端子Ｔｗを特定することは、容易でないという問題があった。
【００１１】
このようことから、図１１を参照して、測定対象となる番地（４：Ｂ）及び番地（５：Ｂ）の端子Ｔｗに隣接する端子Ｔｗを絶縁テープＴｉで予め覆っていた。より具体的には、端子Ｔｗの周囲の一部を囲う隔壁７１ｗの前面に絶縁テープＴｉを貼着していた。
【００１２】
しかし、測定対象となる端子Ｔｗに隣接する端子Ｔｗが列符号７１ｎ及び行符号７１ｍから離れている場合は、この端子Ｔｗの番地を特定することが困難であるという問題があった。又、端子Ｔｗを測定中、又は測定前に絶縁テープＴｉが剥離するという問題もあった。
【００１３】
以上のことから、特許文献１では、測定対象となるラッピング端子を特定することが容易な中間配線盤用のラッピング端子特定装置を開示している。
【００１４】
図１２は、従来技術による中間配線盤用のラッピング端子特定装置の構成を示す斜視図であり、ラッピング端子特定装置を正面側から観た状態図である。なお、本願の図１２は、特許文献１の図１に相当している。
【００１５】
図１２を参照すると、従来技術による中間配線盤用のラッピング端子特定装置（以下、特定装置と略称する）９０は、一対のレール部材９１・９１と帯板状の移動部材９２を備えている。又、特定装置９０は、第１可動板９３１、第２可動板９３２、及び、第３可動板９３３を備えている。
【００１６】
図１２を参照すると、一対のレール部材９１・９１は、端子盤７１の両端部に配置されている。又、一対のレール部材９１・９１は、平行に配置されている。一対のレール部材９１・９１は、端子盤７１を固定した図示しない金属フレームに着脱自在に固定できる。
【００１７】
図１２を参照すると、レール部材９１は、その長手方向に沿って、スリット９１ｓを開口している。一方、移動部材９２は、その両端部をスリット９１ｓに嵌合している。つまり、移動部材９２は、レール部材９１・９１とスライド自在に連結している。そして、移動部材９２は、端子盤７１に対して、Ｙ方向に移動できる。
【００１８】
図１２を参照すると、移動部材９２は、その長手方向に沿って、三つの方形溝９２ｄを上面から穿設している。前面側に位置する方形溝９２ｄには、第１可動板９３１の下端部が嵌合している。背面側に位置する方形溝９２ｄには、第３可動板９３３の下端部が嵌合している。中間に位置する方形溝９２ｄには、第２可動板９３２の下端部が嵌合している。そして、第１可動板９３１、第２可動板９３２、及び、第３可動板９３３は、移動部材９２の長手方向に沿って、それぞれ独立して移動できる。
【００１９】
図１２を参照すると、レール部材９１には、「Ａ」から始まるアルファベットからなる行符号９１ｍを端部に表示している。これらの行符号９１ｍは、絶縁基板７１ｂの行符号７１ｍと同じ行間ピッチ「Ｍ」で表示している。
【００２０】
同様に、図１２を参照すると、移動部材９２には、「１」から始まる自然数からなる列符号９１ｎを上部に表示している。これらの列符号９１ｎは、絶縁基板７１ｂの列符号７１ｎと同じ列間ピッチ「Ｌ」で表示している。そして、移動部材９２を移動することで、絶縁基板７１ｂの列符号７１ｎから離れた位置にある端子Ｔｗを容易に特定できる。
【００２１】
図１２を参照すると、第１可動板９３１、第２可動板９３２、及び、第３可動板９３３は、矩形の絶縁板で構成している。又、第１可動板９３１、第２可動板９３２、及び、第３可動板９３３の横幅は、端子Ｔｗの列間ピッチ「Ｌ」の整数倍に形成している。
【００２２】
図１２を参照すると、第１可動板９３１は、隣接した三つの端子Ｔｗを覆うことができる。第２可動板９３２は、単一の端子Ｔｗを覆うことができる。第３可動板９３３は、隣接した一対の端子Ｔｗ・Ｔｗを覆うことができる。
【００２３】
図１２に示した例では、第１可動板９３１と第２可動板９３２を離間して配置している。そして、第１可動板９３１と第２可動板９３２の間に表出した端子Ｔｗの番地を容易に特定できる。又、図１２に示した例では、第２可動板９３２と第３可動板９３３を離間して配置している。そして、第２可動板９３２と第３可動板９３３の間に表出した端子Ｔｗの番地を容易に特定できる。
【００２４】
図１０を参照して、中間配線盤７０は、一組の端子盤７１・７１の間に、保安器（図示せず）を設置していることがある。この保安器は、一組の端子盤７１・７１とジャンパー線Ｗｊで電気的に接続している。
【００２５】
ところで、保安器を交換する場合には、一方の端子盤７１から保安器に接続していたジャンパー線Ｗｊを他方の端子盤７１の裏面側に迂回接続している。保安器が新設されたときには、この保安器からジャンパー線Ｗｊを他方の端子盤７１の表面側に接続した後に、迂回接続していたジャンパー線Ｗｊを切断し、回線を復旧させていた。このような保安器の交換工事を採用することで、回線停止の時間を削減していた。
【００２６】
しかしながら、図１１を参照すると、端子盤７１は、複数の端子Ｔｗが狭いピッチで配列されているので、ジャンパー線Ｗｊを結線すべき端子Ｔｗを特定するのが容易でないという問題があった。
【００２７】
ラッピング接続は、ラッピング工具を用いて、ジャンパー線Ｗｊの端末を端子Ｔｗに巻き付けて、ジャンパー線Ｗｊが塑性変形することで、ジャンパー線Ｗｊと端子Ｔｗを電気的に接続している。したがって、ジャンパー線Ｗｊを誤配線した場合には、新たなジャンパー線Ｗｊを再結線する必要があるので、時間を要するという問題がある。
【００２８】
図１１を参照して、従来は、端子盤７１の特定行の上下の端子Ｔｗ群に絶縁シートを被せ、結線すべき端子Ｔｗの特定を容易にしていた。又は、特定行の端子Ｔｗの下に配置された端子Ｔｗに誤配線防止キャップを被せ、結線すべき端子Ｔｗの特定を容易にしていた。
【００２９】
しかしながら、絶縁シートで複数の端子Ｔｗを養生する方法は、絶縁シートが脱落し易いという問題がある。一方、誤配線防止キャップで端子Ｔｗを養生する方法は、特定行が変わる度に、誤配線防止キャップを着脱する必要があり、作業効率が良くないという問題がある。
【００３０】
図１２に示した特定装置９０を用いれば、ジャンパー線Ｗｊを特定の端子Ｔｗに作業効率良く結線できる、と考えられる。しかし、図１２を参照すると、移動部材９２の上下に配置された端子Ｔｗは養生されていないので、誤結線する心配がある。
【００３１】
ジャンパー線を接続すべきラッピング端子を確実に特定できる中間配線盤用のラッピング端子特定装置が求められていた。そして、以上のことが本発明の課題といってよい。
【００３２】
本発明は、このような課題に鑑みてなされたものであり、中間配線盤に設置した端子盤に配列した複数のラッピング端子の内、ジャンパー線を接続すべきラッピング端子を確実に特定できる中間配線盤用のラッピング端子特定装置を提供することを目的とする。
【課題を解決するための手段】
【００３３】
本発明者らは、中間配線盤の内部に設置した端子盤に着脱自在に固定し、矩形の第１窓を有する箱状の本体、マトリクスに配置された複数のラッピング端子の上方を行方向に移動自在な移動台、移動板の移動に連動して、複数のラッピング端子の上方を覆う透明シート、及び、透明シートを移動させる一対のローラでラッピング端子特定装置を構成し、移動板には、一行に配列されたラッピング端子に対応する第２窓を開口することで、ジャンパー線を接続すべきラッピング端子を確実に特定できると考え、これに基づいて、以下のような新たな中間配線盤用のラッピング端子特定装置を発明するに至った。
【００３４】
（１）本発明による中間配線盤用のラッピング端子特定装置は、中間配線盤の内部に設置し、略矩形の絶縁基板、及びこの絶縁基板にマトリクスに配列した複数のラッピング端子を備える端子盤の複数の前記ラッピング端子の中からジャンパー線を結線すべきラッピング端子を特定するための中間配線盤用のラッピング端子特定装置であって、前記絶縁基板に着脱自在に固定し、複数の前記ラッピング端子を覆う箱状の本体と、前記本体に対して行が並んだ行方向に移動自在に、前記本体と連結した移動板と、前記本体の一方の面を覆うと共に、断絶した中間部を前記移動板に固定した帯状の透明シートと、前記本体の両端部に配置され、前記透明シートの両端部を巻き取り又は巻き戻し自在な一対のローラと、を備え、前記本体は、前記ラッピング端子に前記ジャンパー線を結線自在に、一方の面に開口した矩形の第１窓と、前記第１窓に連通し、前記ジャンパー線を導入又は導出自在に、当該本体の他方の側面板に切り欠いた第１切り欠き部と、前記第１窓の一方の周辺に沿って表示し、前記透明シートを介して視認できる行符号と、を有し、前記移動板は、前記行符号を視認自在に前記第１窓に連通し、一行に配列した特定の前記ラッピング端子に前記ジャンパー線を結線自在に、一方の面を開口した矩形の第２窓と、前記第２窓に連通し、前記ジャンパー線を導入又は導出自在に、当該移動板の他方の側面板に切り欠いた第２切り欠き部と、前記第２窓の一方の周辺に沿って表示した列符号と、を有している。
【００３５】
（２）前記本体は、列が並んだ列方向から前記ジャンパー線を導入又は導出自在に、他方の側面板と前記絶縁基板と間を開放していることが好ましい。
【００３６】
（３）前記ローラは、前記透明シートを巻き取り操作する円盤状のグリップを一方の端部に備えていることが好ましい。
【発明の効果】
【００３７】
本発明による中間配線盤用のラッピング端子特定装置は、中間配線盤の内部に設置した端子盤に着脱自在に固定し、矩形の第１窓を有する箱状の本体、マトリクスに配置された複数のラッピング端子の上方を行方向に移動自在な移動板、移動板の移動に連動して、複数のラッピング端子の上方を覆う透明シート、及び、透明シートを移動させる一対のローラでラッピング端子特定装置を構成し、移動板には、一行に配列されたラッピング端子に対応する第２窓を開口することで、ジャンパー線を接続すべきラッピング端子を確実に特定できる。
【図面の簡単な説明】
【００３８】
【図１】本発明の一実施形態による中間配線盤用のラッピング端子特定装置の構成を示す斜視図である。
【図２】前記実施形態による中間配線盤用のラッピング端子特定装置の構成を示す正面図である。
【図３】前記実施形態による中間配線盤用のラッピング端子特定装置の構成を示す右側面図であり、上部側を縦断面図で示している。
【図４】前記実施形態による中間配線盤用のラッピング端子特定装置の構成を示す平面図である。
【図５】前記実施形態による中間配線盤用のラッピング端子特定装置の構成を示す横断面図であり、図３のＡ−Ａ矢視断面図である。
【図６】前記実施形態による中間配線盤用のラッピング端子特定装置の構成を示す斜視図であり、図１と異なる方向から観た状態図である。
【図７】前記実施形態による中間配線盤用のラッピング端子特定装置に適用される端子盤の構成を示す正面図である。
【図８】前記実施形態による中間配線盤用のラッピング端子特定装置に適用される端子盤の構成を示す斜視図である。
【図９】前記実施形態による中間配線盤用のラッピング端子特定装置に適用される端子盤の構成を示す斜視図であり、図７と異なる方向から端子盤を観ている。
【図１０】一例による中間配線盤の構成を示す機能ブロック図である。
【図１１】中間配線盤の内部に設置した端子盤の一例による構成を示す正面図である。
【図１２】従来技術による中間配線盤用のラッピング端子特定装置の構成を示す斜視図であり、ラッピング端子特定装置を正面側から観た状態図である。
【発明を実施するための形態】
【００３９】
以下、図面を参照して本発明を実施するための形態を説明する。
［中間配線盤用のラッピング端子特定装置の構成］
最初に、本発明の一実施形態による中間配線盤用のラッピング端子特定装置の構成を説明する。
【００４０】
図１は、本発明の一実施形態による中間配線盤用のラッピング端子特定装置の構成を示す斜視図である。図２は、前記実施形態による中間配線盤用のラッピング端子特定装置の構成を示す正面図である。
【００４１】
図３は、前記実施形態による中間配線盤用のラッピング端子特定装置の構成を示す右側面図であり、上部側を縦断面図で示している。図４は、前記実施形態による中間配線盤用のラッピング端子特定装置の構成を示す平面図である。
【００４２】
図５は、前記実施形態による中間配線盤用のラッピング端子特定装置の構成を示す横断面図であり、図３のＡ−Ａ矢視断面図である。図６は、前記実施形態による中間配線盤用のラッピング端子特定装置の構成を示す斜視図であり、図１と異なる方向から観た状態図である。
【００４３】
本発明の一実施形態による中間配線盤用のラッピング端子特定装置の構成を説明する前に、実施形態による中間配線盤用のラッピング端子特定装置に適用される端子盤の構成を説明する。
【００４４】
図７は、前記実施形態による中間配線盤用のラッピング端子特定装置に適用される端子盤の構成を示す正面図である。
【００４５】
図８は、前記実施形態による中間配線盤用のラッピング端子特定装置に適用される端子盤の構成を示す斜視図である。図９は、前記実施形態による中間配線盤用のラッピング端子特定装置に適用される端子盤の構成を示す斜視図であり、図８と異なる方向から端子盤を観ている。
【００４６】
（端子盤の構成）
図７から図９を参照すると、端子盤６１は、実施形態による中間配線盤用のラッピング端子特定装置に適用される。端子盤６１は、略矩形の絶縁基板６１ｂと複数の端子Ｔｗで構成している。複数の端子Ｔｗは、マトリクスに配置している（図６参照）。
【００４７】
図８又は図９を参照すると、複数の端子Ｔｗは、絶縁基板６１ｂの一方の面から突出している。又、複数の端子Ｔｗは、絶縁基板６１ｂの他方の面から突出している。実体として、端子Ｔｗは、圧入又は一体成形などの固定手段により、中間部が絶縁基板６１ｂに固定されている。隔壁６１ｗは、端子Ｔｗの周囲の一部を囲っている。そして、隔壁６１ｗは、隣接し合う端子Ｔｗを絶縁可能に隔絶している。
【００４８】
図７から図９を参照すると、絶縁基板６１ｂは、「１」から始まる自然数からなる列符号６１ｎを最上段に表示している。又、絶縁基板６１ｂは、「Ａ」から始まるアルファベットからなる行符号６１ｍを右欄に表示している。そして、列符号６１ｎ及び行符号６１ｍで特定される番地の端子Ｔｗにジャンパー線Ｗｊを結線できる。
【００４９】
図７から図９を参照すると、端子盤６１は、銘板フォルダ６１１と一組のジャンパーダクト６１２・６１２を更に備えている。銘板フォルダ６１１は、帯状の銘板（図示せず）を収容できる。この銘板には、端子盤６１の接続先のゾーン名を表示できる。銘板フォルダ６１１は、複数のねじ部材（図示せず）を用いて、絶縁基板６１ｂの一方の側面に着脱自在に固定できる。
【００５０】
図７から図９を参照すると、ジャンパーダクト６１２は、複数の仕切りポール６１ｐを一列に配置している。一方のジャンパーダクト６１２は、複数の仕切りポール６１ｐを絶縁基板６１ｂの一方の面側に突出している。他方のジャンパーダクト６１２は、複数の仕切りポール６１ｐを絶縁基板６１ｂの他方の面側に突出している。
【００５１】
図７から図９を参照すると、隣接する仕切りポール６１ｐ・６１ｐの間には、ジャンパー線Ｗｊを導入又は導出できる。一組のジャンパーダクト６１２・６１２は、複数のねじ部材（図示せず）を用いて、絶縁基板６１ｂの他方の側面に着脱自在に固定されている。
【００５２】
（全体構成）
次に、本発明の一実施形態による中間配線盤用のラッピング端子特定装置の全体構成を説明する。図１から図６を参照すると、本発明の一実施形態による中間配線盤用のラッピング端子特定装置（以下、特定装置と略称する）１０は、箱状の本体１と移動板２を備えている。又、特定装置１０は、帯状の透明シート３と一対のローラ４・４を備えている。
【００５３】
図１から図６を参照すると、本体１は、矩形に形成した前面板１１ｆと一組の側面板１１ｓ・１２ｓを有している。一組の側面板１１ｓ・１２ｓは、前面板１１ｆの両側部を略直角に折り曲げている。前面板１１ｆは、複数のラッピング端子Ｔｗを覆っている（図１参照）。一方の側面板１１ｓは、複数のねじ部材Ｓｃ（図４又は図５）を用いて、絶縁基板６１ｂの一方の側面に着脱自在に固定できる。
【００５４】
図１から図３を参照すると、移動板２は、本体１に対して移動自在に連結している。移動板２は、本体１に対して行が並んだ行方向に移動できる。透明シート３は、本体１の前面板１１ｆを覆っている。透明シート３は、移動板２の裏面から断絶した中間部を移動板２に固定している。
【００５５】
図１から図４を参照すると、本体１は、一対のローラ支持部１３・１３を両端部に備えている。ローラ支持部１３は、ローラ４を回転自在に両軸支持している。一方のローラ４は、透明シート３の一端部を巻き回している。他方のローラ４は、透明シート３の他端部を巻き回している。
【００５６】
図１から図４を参照して、一方のローラ４を一方の方向に回転すると、透明シート３を一方の方向に移動でき、他方のローラ４に巻き回した透明シート３を巻き戻すことができる。他方のローラ４を他方の方向に回転すると、透明シート３を他方の方向に移動でき、一方のローラ４に巻き回した透明シート３を巻き戻すことができる。
【００５７】
図１又は図２を参照すると、前面板１１ｆは、矩形の第１窓１１ｗと行符号１１ｍを有している。第１窓１１ｗは、ジャンパー線Ｗｊを端子Ｔｗに結線自在に開口している。行符号１１ｍは、第１窓１１ｗの一方の周辺に沿って表示している。行符号１１ｍは、透明シート３を介して視認できる。又、図６を参照すると、他方の側面板１２ｓは、第１窓１１ｗに連通した第１切り欠き部１２ｋを有している。第１切り欠き部１２ｋは、ジャンパー線Ｗｊを導入又は導出自在に、他方の側面板１２ｓに切り欠いている。
【００５８】
図１又は図２を参照すると、移動板２は、矩形の第２窓２１ｗと列符号２１ｎを有している。第２窓２１ｗは、行符号１１ｍを視認自在に第１窓１１ｗに連通している。又、第２窓２１ｗは、一行に配列した特定の端子Ｔｗにジャンパー線Ｗｊを結線自在に、一方の面を開口している。列符号２１ｎは、第２窓２１ｗの一方の周辺に沿って表示している。又、図６を参照すると、移動板２は、第２窓２１ｗに連通した第２切り欠き部２２ｋを他方の側面板２２ｓに有している。第２切り欠き部２２ｋは、ジャンパー線Ｗｊを導入又は導出自在に、他方の側面板２２ｓに切り欠いている。
【００５９】
図１から図６を参照すると、実施形態による特定装置１０は、中間配線盤の内部に設置した端子盤６１に着脱自在に固定し、矩形の第１窓１１ｗを有する箱状の本体１、マトリクスに配置された複数の端子Ｔｗの上方を行方向に移動自在な移動板２、移動板２の移動に連動して、複数の端子Ｔｗの上方を覆う透明シート３、及び、透明シート３を移動させる一対のローラ４・４で構成し、移動板２には、一行に配列された端子Ｔｗに対応する第２窓２１ｗを開口することで、ジャンパー線Ｗｊを接続すべき端子Ｔｗを確実に特定できる。
【００６０】
（本体の構成）
次に、実施形態による本体１の構成を説明する。図１から図６を参照して、本体１は、展開した金属板の少なくとも四方を折り曲げて、箱状に形成することが好ましい。
【００６１】
本体１は、銘板フォルダ６１１を絶縁基板６１ｂの側面に固定するための複数の雌ねじＳｆ（図７参照）を利用して、一方の側面板１１ｓを絶縁基板６１ｂの側面に固定できる。この場合、銘板フォルダ６１１を一方の側面板１１ｓに共締することもできる（図２又は図４参照）。
【００６２】
図１又は図２及び図５を参照すると、一方の側面板１１ｓには、帯板１１ｂを溶接などで接合している。帯板１１ｂには、後述する移動板２の一方の側面板２１ｓをスライドできる。又、帯板１１ｂには、後述する一方の側面板２１ｓの折り曲げ片２１１をスライド自在に係止できる。
【００６３】
図５又は図６を参照すると、他方の側面板１２ｓは、絶縁基板６１ｂと間を開放している。これにより、列が並んだ列方向からジャンパー線Ｗｊを容易に導入又は容易に導出できる（図５から図８参照）。
【００６４】
（移動板の構成）
次に、実施形態による移動板２の構成を説明する。図１から図３及び図５又は図６を参照して、移動板２は、合成樹脂からなることが好ましく、合成樹脂を成形して所望の形状の移動板２を得ることができる。
【００６５】
図１又は図２及び図５を参照すると、移動板２は、帯状に形成した前面板２１ｆと一組の側面板２１ｓ・２２ｓを有している。前面板２１ｆには、断絶した透明シート３の中間部を裏面側から溶着により固定しておくことが好ましい。一組の側面板２１ｓ・２２ｓは、前面板２１ｆの両側部を略直角に折り曲げている。
【００６６】
図１又は図２及び図５を参照すると、一方の側面板２１ｓは、帯板１１ｂの側面にスライドできる。つまり、移動板２は、本体１に対して、行方向にのみ移動することが許容されている。又、図６を参照すると、他方の側面板２２ｓは、第２窓２１ｗに連通した第２切り欠き部２２ｋを有している。第２切り欠き部２２ｋは、ジャンパー線Ｗｊを導入又は導出自在に、他方の側面板２２ｓに切り欠いている。
【００６７】
図１又は図２及び図５又は図６を参照すると、一方の側面板２１ｓは、折り曲げ片２１１を端部に有している。
【００６８】
図５又は図６を参照すると、折り曲げ片２１１は、帯板１１ｂの板厚面にスライド自在に係止している。この構成により、移動板２は、透明シート３を介して、本体１の前面板１１ｆからの浮き上がりが抑制されている。
【００６９】
（ローラ及びローラ支持部の構成）
次に、実施形態によるローラ４及びローラ支持部１３の構成を説明する。図１から図４を参照すると、ローラ支持部１３は、一対の支持片１３１・１３１を有している。ローラ４は、その軸部４ｓが一対の支持片１３１・１３１に両軸支持されている。
【００７０】
図１から図４を参照すると、ローラ４は、その軸部４ｓの端部を一方の支持片１３１から延出している。そして、軸部４ｓの端部には、円盤状のグリップ４ｇを固定している。グリップ４ｇを一方の方向に回転すると、透明シート３を巻き取り操作できる。
【００７１】
図１から図３を参照すると、ローラ支持部１３には、円柱状の案内ローラ４１を更に備えている。案内ローラ４１は、一対の支持片１３１・１３１に両軸支持されている。案内ローラ４１は、透明シート３の走行方向を変えている。又、案内ローラ４１は、透明シート３と転動できる。一対の案内ローラ４１・４１は、透明シート３を本体１の前面板１１ｆに近接又は当接するように配置されている。
【００７２】
［中間配線盤用のラッピング端子特定装置の作用］
次に、実施形態による特定装置１０の作用及び効果を説明する。図１から図６を参照すると、特定装置１０は、中間配線盤の内部に設置した端子盤６１に着脱自在に固定し、矩形の第１窓１１ｗを有する箱状の本体１、マトリクスに配置された複数の端子Ｔｗの上方を行方向に移動自在な移動板２、移動板２の移動に連動して、複数の端子Ｔｗの上方を覆う透明シート３、及び、透明シート３を移動させる一対のローラ４・４で構成し、移動板２には、一行に配列された端子Ｔｗに対応する第２窓２１ｗを開口することで、ジャンパー線Ｗｊを接続すべき端子Ｔｗを確実に特定できる。
【００７３】
図１又は図２を参照すると、特定装置１０は、第１窓１１ｗの一方の周辺に沿って行符号１１ｍを表示していると共に、第２窓２１ｗの一方の周辺に沿って列符号２１ｎ表示しているので、ジャンパー線Ｗｊの結線先を特定することが容易である。又、第２窓２１ｗに対応する端子Ｔｗ以外は、透明シート３で覆われているので、誤結線する心配が無くなる。
【００７４】
又、図１から図４を参照すると、特定装置１０は、一行に配列した特定の端子Ｔｗにジャンパー線Ｗｊを結線自在に、一方の面を開口した矩形の第２窓２１ｗを有する移動板２を備え、グリップ４ｇを回転操作することで、移動板２を行方向に移動できるので、作業効率を向上できる。
【００７５】
図１から図６を参照すると、特定装置１０は、第１窓１１ｗに連通した第１切り欠き部１２ｋと、第２窓２１ｗに連通した第２切り欠き部２２ｋを設けたので、ジャンパー線Ｗｊをラッピング端子Ｔｗに導入、又は、ジャンパー線Ｗｊをラッピング端子Ｔｗから導出することが容易である。
【００７６】
本発明による中間配線盤用のラッピング端子特定装置は、次のような効果が期待できる。
（１）中間配線盤での結線作業において、安全性及び容易性を向上できる。
（２）ジャンパー線の結線箇所を誤認する心配が無くなる。
（３）ジャンパー線を正確に結線でき、作業効率を向上できる。
【００７７】
本発明は、中間配線盤に設置した端子盤に配列した複数のラッピング端子の内、ジャンパー線を接続すべきラッピング端子を特定することが容易な中間配線盤用のラッピング端子特定装を開示したが、本発明による中間配線盤用のラッピング端子特定装置は、マトリクスに配列した複数の端子を備える端子盤にも適用できる。
【符号の説明】
【００７８】
１  本体
２  移動板
３  透明シート
４・４  一対のローラ
１０  特定装置（中間配線盤用のラッピング端子特定装置）
１１ｍ  行符号
１１ｗ  第１窓
１２ｋ  第１切り欠き部
１２ｓ  本体の他方の側面板
２１ｎ  列符号
２１ｗ  第２窓
２２ｋ  第２切り欠き部
２２ｓ  移動板の他方の側面板
６１  端子盤
６１ｂ  絶縁基板
Ｔｗ  端子（ラッピング端子）
Ｗｊ  ジャンパー線
【図１】
2018074197.tif 000003
【図２】
2018074197.tif 000004
【図３】
2018074197.tif 000005
【図４】
2018074197.tif 000006
【図５】
2018074197.tif 000007
【図６】
2018074197.tif 000008
【図７】
2018074197.tif 000009
【図８】
2018074197.tif 000010
【図９】
2018074197.tif 000011
【図１０】
2018074197.tif 000012
【図１１】
2018074197.tif 000013
【図１２】
2018074197.tif 000014